(57)【特許請求の範囲】
【請求項１】
配線・配管材を支持する支持部と、ボルト体を内部に収容する開口を備え、前記ボルト体に対して外方から近接させることにより該ボルト体に取着される取着部と、を有する配線・配管材支持具を、前記ボルト体に固定するための支持具固定用工具であって、
直状の竿と、
前記竿の上端部に設けられ、前記支持具を前記ボルト体に固定する固定部と、
を備え、
前記固定部は、前記支持具を着脱自在に保持する保持部と、前記ボルト体に引掛けられる引掛部とを、備え、
前記保持部は、前記引掛部が前記ボルト体に引掛けられた状態で、前記支持具をその取着部の開口が前記ボルト体に対峙するように保持すべく形成され、
前記保持部に前記支持具を保持させた状態で、前記竿の下端を把持して前記引掛部を前記ボルト体に引掛け、前記保持した支持具を前記ボルト体に近接させるように該ボルト体と前記引掛部との当接箇所を支点に傾動操作することで、前記支持具の開口から前記ボルト体が前記取着部内に収容され前記支持具が該ボルト体に固定されるよう形成されたことを特徴とする支持具固定用工具。
【請求項２】
前記保持部は、磁石により形成されたことを特徴とする請求項１に記載の支持具固定用工具。
【請求項３】
前記引掛部の側方に、前記ボルト体における前記引掛部との当接箇所から軸方向にずれた位置に当接する当接部が設けられたことを特徴とする請求項１または請求項２に記載の支持具固定用工具。
【請求項４】
配線・配管材を支持する支持部と、ボルト体を内部に収容する開口を備え、前記ボルト体に対して外方から近接させることにより該ボルト体に取着される取着部と、を有する配線・配管材支持具と、
直状の竿と、前記竿の上端部に設けられ、前記支持具を前記ボルト体に固定する固定部と、を備えた支持具固定用工具と、
からなり、
前記工具の固定部は、前記支持具を着脱自在に保持する保持部と、前記ボルト体に引掛けられる引掛部と、を備え、
前記工具の保持部は、前記引掛部が前記ボルト体に引掛けられた状態で、前記支持具をその取着部の開口が前記ボルト体に対峙するように保持すべく形成され、
前記保持部に前記支持具を保持させた状態で、前記竿の下端を把持して前記引掛部を前記ボルト体に引掛け、前記保持した支持具を前記ボルト体に近接させるように該ボルト体と前記引掛部との当接箇所を支点に傾動操作することで、前記支持具の開口から前記ボルト体が前記取着部内に収容されて前記支持具が前記ボルト体に固定されるよう形成されたことを特徴とする支持具固定装置。
【発明の詳細な説明】
【技術分野】
【０００１】
本発明は、建物の高所で配線・配管材を支持する支持具を天井等から垂設されたボルト体に固定するための支持具固定用工具及び支持具固定装置に関するものである。
【背景技術】
【０００２】
配線・配管材であるケーブルを建物の高所に布設するために、脚立や梯子に登ってケーブルを支持する支持具を所定間隔毎に天井等から垂設された長尺のボルト体に固定することが行なわれている。しかし、脚立等を足場として利用し複数の支持具を所定間隔毎に固定する作業は、支持具固定箇所毎に脚立等に登り降りし、次の固定箇所まで脚立等を持ち運ばなければならず、これを繰り返すことは大変面倒であり重労働であった。また、高所での作業となるため、危険でもあった。
【０００３】
そこで、脚立等に登ることなく床面上での遠隔操作により支持具を建物の高所に固定する装置が特許文献１に提案されている。特許文献１に記載の配線支持金具の開閉操作装置は、図１１に示すように、床面からケーブル７２の支持位置までに至る高さを備えた角筒状の操作治具体８２と、この操作治具体８２の上端に設けられ、支持金具９１における略Ｕ字板形状の固定片９２の左右一対の拡開操作片９３，９３に係合して支持金具９１を支持するグリップ部８３と、図示しないが、操作治具体８２の下端に設けられ、牽引ロッド８６を介してグリップ部８３の拡開を遠隔操作する操作部とを備えている。グリップ部８３は、操作部の操作によって牽引ロッド８６を介して開閉する固定ピン８４及び揺動ピン８５を備えており、これらのピンは拡開操作片９３の操作孔に挿入されて係合する。
【０００４】
このように構成された開閉操作装置８１は、支持金具９１において固定片９２の下部に一体に接続された略Ｕ字板状の支持片９４内にケーブル７２を挿通支持させておいて、固定ピン８４及び揺動ピン８５を支持金具９１における固定片９２の左右一対の拡開操作片９３，９３の各操作孔に挿入し係合させて支持金具９１をグリップ部８３に支持させる。次いで、開閉操作装置８１を持ち上げ、床面上で操作治具体８２の下端部の操作部のハンドルを操作して、牽引ロッド８６を介してグリップ部８３における固定ピン８４と揺動ピン８５とを互いに離反させて固定片９２の左右一対の拡開操作片９３を左右に拡開し固定片９２の開口９５を拡開して固定片９２を吊杆部材即ちボルト体７１に嵌め合わせる。その後は、固定片９２への拡開操作を解除してその開口９５を縮閉することにより、固定片９２はボルト体７１を掴持し、支持金具９１はボルト体７１に固定される。その後、支持金具９１からグリップ部８３を抜去し、開閉操作装置８１を取り外す。
この開閉操作装置８１によれば、作業床面上での遠隔操作により作業者は脚立等に登り降りすることなく、支持金具９１をボルト体７１の高所位置に取付けることができる。
【先行技術文献】
【特許文献】
【０００５】
【特許文献１】実開昭６３−２１４１７号公報
【発明の概要】
【発明が解決しようとする課題】
【０００６】
しかし、引用文献１に記載の開閉操作装置８１は、操作治具体８２の上端のグリップ部８３に支持されて高所に持ち上げられた支持金具９１の固定片９２の開口９５をボルト体７１に嵌め合わせる際、長尺の操作治具体８２の下端のみを把持して操作するから、操作治具体８２の上端に支持され高所に持ち上げられた支持金具９１は左右にぶれ易くその位置は安定しない。このような状態で、開閉操作装置８１全体を持ち上げた状態を維持しつつ床面上での遠隔操作により支持金具９１の固定片９２の開口９５をボルト体７１の正面を狙って位置合わせしこれに嵌め合わせることは困難であった。
【０００７】
また、前記開閉操作装置８１は、予め固定ピン８４及び揺動ピン８５を固定片９２の操作孔に挿通し、開閉操作装置８１を持ち上げた後、操作治具体８２の下端の操作部のハンドルを操作して固定片９２の開口９５を拡げてボルト体７１に嵌め合わせ、嵌め合わせた後は、固定片９２への拡開操作を解除してその開口９５を縮閉するものであり、固定片９２の開口９５を開閉するために面倒な操作を必要とした。
【０００８】
加えて、前記開閉操作装置８１は、グリップ部８３と操作治具体８２の下端部のハンドルとの間を牽引ロッド８６で連結し、図示しないが、スプリングを設け、グリップ部８３の一対のピンを開閉する機構を備えており、装置全体が複雑な構成となっていた。
【０００９】
そこで、本発明は、床面からの遠隔操作で、高所に持上げられた配線・配管材の支持具の開口を簡単にボルト体の正面に向けて位置合わせして該支持具を取着固定できるとともに、簡単な操作で支持具をボルト体に固定でき、更に、簡易な構成で形成できる支持具固定用工具及び支持具固定装置の提供を課題とするものである。
【課題を解決するための手段】
【００１０】
請求項１の支持具固定用工具は、配線・配管材を支持する支持部と、ボルト体を内部に収容する開口を備え、前記ボルト体に対して外方から近接させることにより該ボルト体に取着される取着部とを有する配線・配管材支持具を、前記ボルト体に固定するものであって、直状の竿と、前記竿の上端部に設けられ、前記支持具を前記ボルト体に固定する固定部とを備えている。更に、前記固定部は、前記支持具を着脱自在に保持する保持部と、前記ボルト体に引掛けられる引掛部とを備え、前記保持部は、前記引掛部が前記ボルト体に引掛けられた状態で、前記支持具をその取着部の開口が前記ボルト体に対峙するように保持すべく形成されている。そして、前記保持部に前記支持具を保持させた状態で、前記竿の下端を把持して前記引掛部を前記ボルト体に引掛け、前記保持した支持具を前記ボルト体に近接させるように該ボルト体と前記引掛部との当接箇所を支点に傾動操作することで、前記支持具の開口から前記ボルト体が前記取着部内に収容され前記支持具が該ボルト体に固定されるよう形成されている。
【００１１】
請求項２の支持具固定用工具は、特に、支持具固定用工具の保持部が、磁石により形成されている。
請求項３の支持具固定用工具は、特に、引掛部の側方に、ボルト体における引掛部との当接箇所から軸方向にずれた位置に当接する当接部が設けられている。
請求項４の支持具固定装置は、請求項１に記載の配線・配管材支持具と、請求項１に記載の支持具固定用工具とからなる。
【発明の効果】
【００１２】
請求項１の発明は、固定部が、支持具を着脱自在に保持する保持部と、ボルト体に引掛ける引掛部とを備え、かつ、保持部は、引掛部がボルト体に引掛けられた状態で、支持具をその取着部の開口がボルト体に対峙するように保持すべく形成されているから、床面からの遠隔操作において、高所に持上げられた配線・配管材支持具の開口を簡単にボルト体の正面と向かい合う位置に導いて対峙させることができる。したがって、その後は、固定用工具をボルト体に向けて傾動するだけで支持具をボルト体に固定できる。
また、保持部に支持具を保持させた状態で、竿の下端を把持して引掛部をボルト体に引掛け、支持具をボルト体に近接させるようにボルト体と引掛部との当接箇所を支点に傾動するだけの簡単な操作で、支持具の開口からボルト体を取着部内に収容して支持具をボルト体に固定できる。
更に、支持具固定用工具は、竿と、支持具をボルト体に固定する固定部とを備え、固定部は、支持具を着脱自在に保持する保持部と、ボルト体に引掛けられる引掛部とを備え、保持部は、引掛部をボルト体に引掛けた状態で、支持具をその取着部の開口がボルト体に対峙するように保持すべく形成されたものであり、従来例のような、竿の内部に挿通した牽引ロッドを介して下端のハンドルを操作することにより支持具の開口を開閉するという複雑な機構を必要とせず、簡易な構成で形成することができる。
【００１３】
請求項２の発明は、保持部が、磁石により形成されているから、特に、簡易な構成でかつ簡単に支持具を保持部に保持させることができる。また、支持具をボルト体に取着した後も、簡単に支持具から支持具固定用工具を離脱させることができる。
請求項３の発明は、引掛部の側方に、ボルト体における引掛部との当接箇所から軸方向にずれた位置に当接する当接部が設けられているから、引掛部をボルト体に引掛けた後工具を下方に回動して傾動させる際に、当接部はボルト体に沿って当接し、固定部はこの当接に案内されつつ移動する。したがって、工具の傾動中に引掛部はボルト体に対して水平方向に揺動、傾動することなく、固定部は一定方向に安定して傾動するから、支持部の取着部の開口をボルト体の正面に円滑に向かい合わせることができる。
請求項４の支持具固定装置は、請求項１に記載の配線・配管材支持具と、支持具固定用工具とからなるので、請求項１と同様の効果を奏する。
【図面の簡単な説明】
【００１４】
【図１】本発明の実施形態の支持具固定装置を示す斜視図である。
【図２】図１の支持具を示す斜視図である。
【図３】図２の支持具の取着部をボルト体に取着する方法を示す平面図である。
【図４】図２の支持具をボルト体に取着した後の状態を示す正面図である。
【図５】図１の支持具固定用工具を示す正面図である。
【図６】図５の支持具固定用工具の保持部に支持具を保持させた状態を示し、(a)は斜視図、(b)は正面図である。
【図７】図１の支持具固定用工具を使用して支持具をボルト体に固定する方法を示す正面図である。
【図８】図１の支持具固定用工具に保持した支持具の取着部を  ボルト体に取着する状況を目視で確認する方向を湿す斜視図である。
【図９】本発明の実施形態で適用される別の支持具及び支持具固定用工具を示し、(a)は斜視図、(b)はボルト体に(a)の支持具を固定した状態を示す斜視図、(c)は(a)の支持具を支持具固定用工具の保持部に保持する別の例を示す要部正面図である。
【図１０】本発明の別の支持具固定用工具の斜視図である。
【図１１】従来の支持具固定用工具を示す斜視図である。
【発明を実施するための形態】
【００１５】
以下、本発明の実施形態の支持具固定装置及び支持具固定用工具を図に基づいて説明する。
図１において、建物の高所に布設される配線・配管材を支持する支持具固定装置１は、配線・配管材としての図２に示すケーブル７２を所定間隔毎に支持する配線・配管材支持具である支持具２と、この支持具２を建物の天井等に垂設された吊りボルトからなるボルト体７１に固定するための支持具固定用工具である工具３とで構成されている。更に、前記支持具２は、ボルト体７１を内部に収容する開口２０を備え、ボルト体７１に対して外方から近接させることによりボルト体７１に取着される取着部１１と、この取着部１１に取付けられ、ケーブル７２を下方から支持する支持部３１とを有している。また、前記工具３は、直状の竿４1と、竿４1の上端部に設けられ、支持具２をボルト体７１に固定する固定部５１とを備えている。以下、各構成部材について詳細に説明する。
【００１６】
前記支持具２の取着部１１は、図２乃至図４に示すように、所定の弾性を有する鋼材等の金属板材からなり、これをプレス加工等により折曲して、取着部１１の背面をなす中間の連結板部１５の左右両側それぞれにコ字板部材が一体に形成された形状となっており、前面１２からボルト体７１に取着固定されるようになっている。このコ字板部材は、具体的には、連結板部１５の左右両側に一対の側壁１３，１４が一体に設けられ、更に、各側壁の上下両端部から水平方向に延出する挟持片が一体に設けられたものとなっている。左側の側壁１３の上端部からは上側挟持片１６が水平方向に延設され、下端部からは下側挟持片１７が延設されている。また、右側の側壁１４の上端部からは上側挟持片１６が水平方向に延設され、下端部からは下側挟持片１７が延設されている。これらの上側挟持片１６及び下側挟持片１７は、それぞれ、各側壁からボルト体７１を超えた反対側まで延びている。側壁１３の上側挟持片１６と側壁１４の上側挟持片１６とは、間隔をおいて上下方向に重なり合った状態にある。同様に、側壁１３の下側挟持片１７と側壁１４の下側挟持片１７とは、間隔をおいて上下方向に重なり合った状態にある。
【００１７】
上側挟持片１６及び下側挟持片１７には、ボルト体７１と対向する側の端縁部２２に切欠孔１８を形成することにより、前面１２の開口２０からボルト体７１が挿入され収容される挿入空間２１が形成されているとともに、切欠孔１８においてボルト体７１の外面と当接する部分には、ボルト体７１の螺子溝内に嵌入して係止する係止部１９が形成されている。係止部１９は、ボルト体７１の反対側からボルト体７１に係止する。
【００１８】
側壁１３側の挟持片の挿入空間２１の開口２０及び側壁１４側の挟持片の挿入空間２１の開口２０は外部に連通しているとともに、各開口２０の縁部はアール状または直線状に面取り加工が施されている。この面取り加工部分はボルト体７１を挿入空間２１内に導く案内部として機能する。したがって、取着部１１の前面１２から取着体１をボルト体７１に向けて押し付けることにより、ボルト体７１を前記案内部によって開口２０に導き、挿入できるようになっている。なお、図３においては、支持部３１の図示は省略してある。
【００１９】
この支持具２の取着部１１は、図３(a)に示すように、各挟持片の開口２０がボルト体７１と対峙する状態でそのままボルト体７１に向けて移動させ、ボルト体７１に向けて強制的に押し込めば、一対の上側挟持片１６，１６等は、図３(b)に示すように、弾性力に抗して互いに閉じる方向に近接移動する。これに伴い、一対の係止部１９，１９は、反対側からボルト体７１に係止するものであるから、逆に一旦は互いに離間して、ボルト体７１は開口２０を通過可能となる。ボルト体７１が開口２０を通過すると、各挟持片は弾性復帰力により上記と反対側に僅かに移動して互いに僅かに離間するとともに、一対の係止部１９，１９は逆に互いに僅かに近接する方向に移動し、ボルト体７１は挿入空間２１内に押し込まれ収容される。収容後は、図３(c)及び図４に示すように、各挟持片はボルト体７１を挟持し、取着部１１の取着は完了する。
支持具２の取着部１１は、このようにして弾性変形により開口２０からのボルト体７１の進入を許容し、ボルト体７１への取着後は弾性による挟持によりこのボルト体７１からの抜脱が防止される。
【００２０】
次に、支持具２におけるケーブル７２を支持する支持部３１は、図１、図２及び図４に示すように、ケーブル７２の大きさに対応して、上部が開口する略円弧状に形成されている。支持部３１は、丸鋼等を円弧状に湾曲させて形成され、取着部１１への取付部分においては、丸鋼等をプレス加工により偏平化してこの部分にリベット３２を打ち込むことによって取付けられている。円弧状の湾曲部分はリベット３２の取付部分から垂直下方に延出し、ケーブル７２が載置される載置部３３を形成している。
【００２１】
次に、支持具２をボルト体７１の高所位置に固定するために使用される工具３は、図１及び図５に示すように、竿４1と、竿４1の上端部に設けられて支持具２をボルト体７１に固定する固定部５１とを備えて成る。
竿４1は、金属製、特に軽量化のためにアルミニウム製、或いは合成樹脂製の円形パイプ、角形パイプ、丸棒材、角棒材等で形成され、直状をなし、床面上から作業者が支持具２をボルト体７１の高所位置に固定する作業を行なうに必要な長さ、例えば３〜４ｍの長さを有している。なお、竿４1は一定長さに固定されたものであってもよいし、長さ方向に２〜３段階に伸縮可能なものであってもよい。竿４1の下端部には作業者が把持する把持部４２が形成されている。
【００２２】
工具３の固定部５１は、側部に垂直基板５２を備えており、垂直基板５２は２枚の一定幅の板材を一定間隔をおいて並置させて形成されている。垂直基板５２の外部側の下半部分には上下方向に一定幅の空隙からなる収容凹部５３が形成され、その収容凹部５３の上下方向の幅は、支持具２の取着部１１の背面をなす連結板部１５の上下方向の幅と同一または僅かに小さく形成されており、収容凹部５３内に取着部１１の連結板部１５を嵌入或いは圧入できるようになっている。そして、収容凹部５３の後方における２枚の板材の隙間には側方の開口から四角板状の磁石５４が挿入、埋設されている。したがって、支持具２の取着部１１を外側から垂直基板５２の収容凹部５３に嵌入或いは圧入すれば、それによる嵌合と、磁石５４の磁力とによって金属製の取着部１１は収容凹部５３に着脱自在に保持される。垂直基板５２のこれらの収容凹部５３及び磁石５４は支持具２を保持する保持部５５を形成する。保持部５５は、固定部５１をボルト体７１に引掛けた状態で、支持具２の取着部１１の開口２０がボルト体７１に正面から対峙する位置に設けられている。ここで、特に、収容凹部５３は、取着部１１のずれを防いで一定姿勢に保持する機能も有する。なお、保持部５５は、収容凹部５３及び磁石５４のいずれか一方のみで形成してもよい。その際、保持部５５を磁石５４で形成した場合は、特に、支持具２の取着部１１の大きさに自在に対応して保持させることができる。但し、保持部５５は双方により形成すれば、より強く安定して取着部１１を保持できる。
【００２３】
垂直基板５２の上端は傾斜面５２ａに形成され、垂直基板５２の上端と後述する引掛部６０との間隔を広く確保して、工具３をボルト体７１に引掛ける際に、ボルト体７１をその間隔内に円滑かつ容易に挿入できるようにしている。
なお、垂直基板５２は前記構造に限られるものではなく、例えば１枚の板材のみで形成してもよい。
【００２４】
垂直基板５２の後方即ち図５の右方向には垂直板５６が延設されており、その右方先端角部には上面が閉塞された円筒状の竿連結部５７が一体に設けられている。そして、この竿連結部５７には竿４1の上端が挿入され、竿連結部５７の周壁の螺子孔に螺子５８が螺着されることにより、固定部５１は竿４1の上端部に設けられている。ここで、竿連結部５７の軸心は垂直基板５２に対して下方に行くに従って垂直基板５２からの離間距離が拡大する方向に傾斜している。これにより、ボルト体７１への取着時に、取着するボルト体７１の下方に干渉物があってもそれとの干渉を回避でき、竿４1は少なくとも支持具２がボルト体７１に取着、固定されるまで上下方向に回動させボルト体７１に向けて傾動させることができるようになっている。
【００２５】
垂直基板５２の上部における竿連結部５７と１８０度反対側即ち図５の左側の上部には、垂直方向の側板５９が一体に延設されており、側板５９の先端側の上部には半円弧板状に湾曲する引掛部６０が形成されている。引掛部６０は上下方向に所定の長さを有し、内部にボルト体７１を収容可能となっており、ボルト体７１の外面が引掛部６０の内面に沿って当接するよう形成されている。引掛部６０の下端角部はボルト体７１に固定部５１を引掛けるとき、最初にボルト体７１の外面と当接する箇所であり、このボルト体７１と引掛部６０の下端角部との当接箇所は、図７に示す、工具３を傾動するときの支点６１となる。
【００２６】
側板５９は垂直基板５２の途中高さまで延出しており、この延出部分は引掛部６０の内部に収容されるボルト体７１に沿ってその軸方向に延び、ボルト体７１の外面に沿って当接する部分となっている。この延出部分は、即ち、引掛部６０の側方に設けられて、ボルト体７１における引掛部６０との当接箇所から軸方向にずれた下方位置に当接する当接部６２となっている。この当接部６２により、引掛部６０をボルト体７１に引掛けた後、工具３を引掛部６０の支点６１を軸にして上下方向に回動して傾動する際に、当接部６２がボルト体７１の外面に沿って当接するため、工具３の竿４1は、左右にぶれたり傾いたりすることなく真直ぐ上下方向に回動し、ボルト体７１の真正面に向けて傾動する。
【００２７】
引掛部６０の内面には、図７(a)に示すように、ボルト体７１の外面に係止する係止突起６３が設けられている。この係止突起６３は、ボルト体７１の外面のねじ部に食い込んで、固定部５１がボルト体７１の軸方向にずれるのを防止する。但し、係止突起６３は、必ずしも要するものではない。
【００２８】
更に、固定部５１において竿連結部５７の上部には円弧状に湾曲してなるケーブル受け部６４が垂直基板５２の平面と直交する方向に一体に設けられており、その内部にケーブル７２を収容してこれを支持するようになっている。
【００２９】
ここで、支持具２を収容凹部５３及び磁石５４によって保持する保持部５５の保持力は、ボルト体７１に取着される取着部１１の取着力よりも小さく設定されている。したがって、工具３を使用して支持具２の取着部１１をボルト体７１に取着、固定してから工具３をボルト体７１から離脱させて取り外す際に、固定部５１の保持部５５と支持具２の取着部１１とは分離し、工具３を取り外すのに伴って支持具２までもボルト体７１から離脱してしまうのが防止され、支持具２はボルト体７１に固定された状態に維持される。
【００３０】
次に、このように構成された本実施形態の工具３を使用して支持具２をボルト体７１の高所位置に固定する方法を図６及び図７に基づいて説明する。
まず、図６に示すように、工具３の保持部５５に支持具２を保持させる。それには、支持具２の取着部１１の連結板部１５を保持部５５の収容凹部５３内に嵌入或いは圧入する。圧入したときは、支持具２の連結板部１５は弾性的に収容凹部５３内に収容され保持される。これに加えて、保持部５５は磁石５４を備えているから、支持具２の連結板部１５を保持部５５の収容凹部５３内に嵌入或いは圧入すれば、金属製の支持具２は磁石５４に吸着され保持部５５に保持される。これらの手段によって、支持具２は工具３の保持部５５に嵌入或いは圧入するだけの操作で簡単に固定部５１に離脱可能に保持させることができる。
【００３１】
次に、支持具２を保持部５５に保持させた状態で、床面上で工具３の竿４1の下端の把持部４２を把持して工具３を持ち上げ、竿４1の上端の固定部５１をボルト体７１の高所における所望とする箇所に位置させる。次いで、図７(a)に示すように、工具３を傾けつつ引掛部６０と垂直基板５２の傾斜面５２ａとの間隙内にボルト体７１を挿入させるようにして、引掛部６０をボルト体７１に引掛ける。続いて、引掛部６０の下端角部の支点６１を支点として竿４1を時計方向に回動し、ボルト体７１に近接させるように傾動させる。このとき、保持部５５は、引掛部６０がボルト体７１に引掛けられた状態で、支持具２の取着部１１の開口２０がボルト体７１に対峙するように保持すべく形成されているので、ボルト体７１を引掛部６０と垂直基板５２との間隙内に挿入した後竿４1を傾動していくと、支持具２の取着部１１の開口２０の部分がボルト体７１に対して真正面から当接する。加えて、引掛部６０の側方には側板５９からなる当接部６２が形成されており、竿４1を傾動していく途中で、当接部６２はボルト体７１に沿って当接し、側板５９が横方向に傾くのが規制されるので、引掛部６０は、ボルト体７１に対して水平方向に揺動したり傾動することがなく、固定部５１は、引掛部６０の支点６１を支点に一定方向即ち垂直面内での上下方向のみにおいて傾動する。
【００３２】
このようにして、図７(b)に示すように、工具３の保持部５５に保持された支持具２の取着部１１の開口２０の部分がボルト体７１に当接したら、引き続き、竿４1をそのまま更にボルト体７１に向けて真直ぐに傾動させて支持具２を前方に強制的に押し込む。すると、支持具２の取着部１１の開口２０は弾性的に左右に拡張し、ボルト体７１は、図７(c)に示すように、支持具２の取着部１１の内部に収容される。なお、引掛部６０内にボルト体７１が収容されたとき、引掛部６０の内面の係止突起６３がボルト体７１の外面のねじ部間に嵌入し係止するので、工具３がボルト体７１に対してその軸方向にずれるのが防止され、工具３及び支持具２はボルト体７１の一定高さに保持される。支持具２の取着部１１内にボルト体７１が収容されたら、図７(d)に示すように、固定部５１を傾けて引掛部６０をボルト体７１から外しながら竿４1を手前側に引き寄せて工具３をボルト体７１から離脱させる。このとき、支持具２を保持する保持部５５の保持力は、ボルト体７１に取着される取着部１１の取着力より小さいので、工具３と支持具２とは分離し、支持具２はボルト体７１に固定され、工具３のみが手前側に外される。以上により、支持具２は床面上において工具３を使用した遠隔操作によりボルト体７１に固定される。
【００３３】
なお、支持具２をボルト体７１に固定した後は、床面上で工具３の固定部５１のケーブル受け部６４にケーブル７２を載置支持させた後、工具３を上方に持ち上げて、ケーブル受け部６４に支持されたケーブル７２を支持具２の支持部３１に載せ替えこれに載置し支持させることができる。勿論、他の手段によって支持具２の支持部３１にケーブル７２を支持させることもできる。
【００３４】
次に、上記のように構成された支持具固定装置１及び工具３の作用を説明する。
本実施形態の支持具固定装置１は、ボルト体７１に対して工具３の引掛部６０を引掛けることにより、ボルト体７１に対する水平方向の移動が規制される。ここで、工具３の固定部５１は、垂直基板５２の上端部が傾斜面５２ａに形成され、引掛部６０にボルト体７１を挿入する挿入口が広くなっているので、離れた床面上からでも、かつ、ボルト体７１の軸に対して工具３を傾けた状態でも、固定部５１をボルト体７１に対して水平方向から近接させてあてがえば、ボルト体７１を簡単に広い挿入口から挿入させて引掛部６０をボルト体７１に引掛けることができる。また、工具３の保持部５５は、引掛部６０がボルト体７１に引掛けられた状態で、支持具２の取着部１１の開口２０をボルト体７１に対峙するように支持具２を保持している。これらの構成により、高所で床面から離れているにも拘わらず、支持具２の取着部１１の開口２０をボルト体７１の正面に簡単かつ的確に向かい合わせることができる。
【００３５】
そして、一旦引掛部６０をボルト体７１に引掛けた後は、工具３をそのまま引掛部６０の下端の支点６１を支点に下方に回動し、竿４１をボルト体７１に向けて傾動して支持具２を押し込んでいくだけで、支持具２の取着部１１の開口２０は弾性変形して左右に拡張し、ボルト体７１は取着部１１内に収納される。その後、取着部１１は原位置に弾性復帰し、支持具２は自ずとボルト体７１に取着固定される。
【００３６】
このようなことから、離れた床面上から支持具２の開口２０をボルト体７１に対峙するようピンポイントで狙って位置合わせすることなく、簡単かつ的確にボルト体７１に引掛けることができ、そして、一旦、引掛部６０を引掛けた後は、単にボルト体７１に向けて竿４１を傾動操作するだけで、床面における下方からの遠隔操作により支持具２をボルト体７１の高所位置に簡単かつ楽に固定することができ、作業効率が向上する。
【００３７】
更に、引掛部６０は、保持部５５より上方に位置しており、引掛部６０の下端の支点６１を支点として、てこの作用で工具３の竿４1を下方に回動させることにより小さい力で支持具２の取着部１１の開口２０の部分を弾性変形させつつ拡張して取着部１１の内部にボルト体７１を収容し、支持具２をボルト体７１に固定することができる。
【００３８】
加えて、引掛部６０の側方には側板５９からなる当接部６２が形成されているので、竿４1を傾動していく途中で、当接部６２はボルト体７１に沿って当接し、引掛部６０がボルト体７１に対して水平方向に揺動したり傾動するのが規制される。したがって、工具３を回動したときに、当接部６２とボルト体７１との当接により案内されて、固定部５１は引掛部６０の支点６１を支点に一定方向即ち垂直面内での上下方向のみに傾動し、支持具２の取着部１１の開口２０はボルト体７１の正面位置に誘導される。これにより、支持具２の取着部１１の開口２０は、より円滑かつ楽にボルト体７１の正面に位置合わせされる。
【００３９】
そして、支持具２は、金属製であり、また、工具３の保持部５５は、垂直基板５２に設けられた収容凹部５３及び磁石５４によって構成されているので、支持具２を簡単に保持部５５に保持させることができるとともに、支持具２をボルト体７１に固定した後は、保持部５５を簡単に支持具２から分離し、ボルト体７１から離脱させることができる。
【００４０】
加えて、工具３の固定部５１の竿連結部５７は垂直基板５２から所定距離離間しており、かつ、竿４1は下方に向かう程ボルト体７１から離間するように固定部５１の垂直基板５２に対してつまりはボルト体７１に対して傾斜させて設けられているので、引掛部６０をボルト体７１に引掛けたとき、取着部１１と竿４1との間には空きスペースが形成される。これにより、床面上から取着部１１までの視界は妨げられないので、取着部１１の開口２０がボルト体７１の正面に対峙して竿４1をボルト体７１に向けて傾動操作可能な状態になっているか、また、傾動後支持具２の取着部１１がボルト体７１に確実に取着されているかを、床面上において竿４1の手前側即ち竿４1を把持している側から図８に示す白抜き矢印方向の目視により確認することができる。また、竿４1は、支持具２がボルト体７１に取着された状態でもボルト体７１の軸に対して傾斜しているから、竿４1を回動させる際、ボルト体７１の下方に他の干渉物が存在していても、ボルト体７１と竿４1との間隔が下方ほど拡大しているために、干渉物との干渉を回避でき、少なくともボルト体７１が支持具２の取着部１１内に収容されるまで確実に竿４1を下方に回動させることができる。
【００４１】
ところで、上記実施形態の工具３の保持部５５は、垂直基板５２に磁石５４及び収容凹部５３を設け、金属製の支持具２を、磁力により保持し、また、支持具２の連結板部１５を収容凹部５３内に嵌入或いは圧入して保持しているが、本発明を実施する場合は、これらの手段に限られるものではなく、例えば、支持具２を係止手段によって保持するものや、両面接着テープを使用した接合手段によって保持するものでもよく、要するに、支持具２を着脱自在に保持するものであって、支持具２をボルト体７１に固定するまでの間工具３の保持部５５に仮保持するものであればよい。なお、圧入するものにおいても、例えば、保持部５５として垂直基板５２にピン孔を設け、支持具２の取着部１１にピンを突設し、このピンを保持部５５のピン孔に圧入するものとすることもできる。
【００４２】
また、上記実施形態の支持具２は、取着部１１が、金属製で、左右一対の挟持片を上下２段に設け、挟持片間の開口２０を弾性的に開閉するものとし、弾性変形によりその開口２０からのボルト体７１の進入を許容するとともにボルト体７１を内部に収容した後はボルト体７１からの抜脱を防止するものとしているが、支持具２はこれに限られるものではなく、例えば、合成樹脂製で図９(a)に示すような形状のものであってボルト体７１に挿入される開口２０が弾性変形して開閉する構造のものであってもよい。
【００４３】
図９(a)に示す支持具２は、合成樹脂材を使用して全体が略Ｓ字板状に形成されている。支持具２は、２個の略Ｕ字板状部を備えており、一方の略Ｕ字板状部はボルト体７１に取着固定される取着部１１を形成し、他方の略Ｕ字板状部はケーブル７２を支持する支持部３１を形成している。この支持具２の取着部１１は、対向する内面が湾曲面に形成された中間板部２３と挟持片２４とで構成され、内側寸法は、ボルト体７１の外径より僅かに小さく形成されて、中間板部２３と挟持片２４とが弾性的にボルト体７１を挟持するようになっている。したがって、工具３の保持部５５に支持具２の取着部１１を保持させて工具３の固定部５１をボルト体７１の高所位置に持ち上げて傾動操作することにより、開口２０からボルト体７１が強制的に挿入されると、開口２０は弾性的に拡張し、取着部１１内にボルト体７１が収容され、図９(b)に示すように、支持具２はボルト体７１に取着固定される。一方、他方の略Ｕ字板状部からなる支持部３１は、内部に挿通されるＶＶＦケーブル等のケーブル７２より僅かに小さい収容幅に形成されており、挿入開口２５から挿入され収容されたケーブル７２は弾性的に支持部３１内に収容、支持される。
【００４４】
ここで、支持具２の取着部１１は、例えば、開口２０と反対側の背面部２６の上下幅を工具３の保持部５５に設けた収容凹部５３の上下幅より僅かに大きく形成して、背面部２６を収容凹部５３に嵌入または圧入して保持させることができる。
【００４５】
或いは、図９(c)に示すように、支持具２の取着部１１の背面部２６に水平方向に間隔をあけてその上端から下方に向けて延びた係止片２７を一体に設けるとともに、工具３の保持部５５を、取着部１１の係止片２７が嵌入または圧入されて係止する枠板状の被係止部６５で形成したものとすることもできる。この場合、取着部１１の係止片２７は上方から保持部５５の被係止部６５内に嵌入または圧入されて係止、保持されるとともに、支持具２がボルト体７１に固定された後は、工具３をそのまま下方に押し下げることにより、取着部１１と保持部５５とを分離させ、支持具２から工具３を取り外すことができる。なお、この場合、工具３の固定部５１の引掛部６０の内面には、ボルト体７１のねじ部内に嵌入して軸方向の位置ずれを防止するための係止突起６３は、固定後に工具３を取り外す際に妨げとなるので設けない。
【００４６】
次に、上記実施形態の工具３の竿４1は、下方に向かう程ボルト体７１から離間するよう固定部５１の垂直基板５２に対して傾斜させて設けられているが、図１０に示す工具３のように、垂直基板５２の平面と平行する、即ちボルト体７１への支持具２の取着固定が完了した時点でボルト体７１の軸に対して平行するように取付けてもよい。この場合、竿４1とボルト体７１とが平行状態にあることを確認することにより、ボルト体７１への支持具２の取着固定が完了したことを確認できる。また、竿４1は、逆方向に傾斜したもの、即ち、下方に向かう程ボルト体７１に接近するように固定部５１の垂直基板５２に対して傾斜させたものとすることを妨げるものでもない。
【００４７】
加えて、上記実施形態の工具３の竿４1は、固定部５１において垂直基板５２から水平方向に所定距離離間した位置即ちボルト体７１から離間した位置に取付けられているが、同じく図１０に示す工具３のように、垂直基板５２の真下に設けてもよい。
【００４８】
また、工具３の引掛部６０の側方に設けられた当接部６２は、垂直基板５２の高さ方向の途中まで延びた側板５９で形成されているが、これに限られず、例えば、側板５９の外縁に沿って棒状部材或いは細板状部材を枠状に設け、側板５９の内側に空間を形成したものとし、この枠状の部分にボルト体７１が当接するようにしてもよい。或いは、単に側板５９の下端縁となる位置に棒状部材を突設させたものとし、この棒状部材にボルト体７１が当接するようにしてもよい。
【００４９】
なお、上記実施形態の引掛部６０は、支持具２の保持部５５より上方に形成されているが、保持部５５と同一高さまたは保持部５５より下方に形成することを妨げるものではない。
【００５０】
更に、工具３の固定部５１に設けられたケーブル受け部６４は、垂直基板５２の平面と直交する方向に設けられているが、図１０に示す工具３のように、垂直基板５２の平面と平行する方向つまりは図１に示す支持具２の支持部３１と同方向に設けてもよい。この場合、上記実施形態の、ケーブル受け部６４を垂直基板５２の平面と直交する方向に設けた場合と同様に、支持具２をボルト体７１に固定した後、床面上でこのケーブル受け部６４にケーブル７２を載置支持させた後、工具３を上方に持ち上げて、ケーブル受け部６４に支持されたケーブル７２を支持具２の支持部３１に載せ替えてこれに載置し支持させることができることに加え、ケーブル受け部６４を、保持部５５に保持される支持具２の支持部３１より上方に設ければ、このケーブル受け部６４にケーブル７２を支持させた状態で支持具２を保持部５５に保持させ、工具３を持ち上げてボルト体７１に支持具２を取着固定した後、工具３を下方に引き下げることにより、ケーブル受け部６４に載置支持されていたケーブル７２は自ずと支持具２の支持部３１上に落下し載せ替えられてこれに支持される。したがって、ボルト体７１への支持具２の固定と、ボルト体７１に固定された支持具２の支持部３１上へのケーブル７２の載置とを同時に行なうことができる。また、ケーブル受け部６４は、垂直基板５２の平面と直交する方向及び平行する方向の２箇所に設けてもよい。或いは、固定部５１には、ケーブル受け部６４を全く設けないものとしてもよい。
【００５１】
なお、ケーブル７２が軽量であって、支持具２の支持部３１のみでケーブル７２を支持させても、重量的に工具３の保持部５５で支持具２とケーブル７２との双方を保持可能であれば、ケーブル受け部６４を利用することなく、支持部３１にケーブル７２を支持させたままの状態で工具３を持ち上げて、支持具２をボルト体７１に取着することにより、同時にケーブル７２をボルト体７１の高所に支持させることもできる。
【００５２】
また、上記実施形態の支持具２の支持部３１は、左右に一対設けているが、いずれか一方のみに設けてもよい。
【００５３】
更に、上記実施形態においては、配線・配管材は、ケーブル７２を例示しているが、本発明は、他に、信号線等の配線材、電線管、給水管、給湯管等の配管材にも同様に適用できることは言うまでもない。
【符号の説明】
【００５４】
１  支持具固定装置                ５３  収容凹部（保持部）
２  支持具                        ５４  磁石（保持部）
３  工具                          ５５  保持部
１１  取着部                        ６０  引掛部
２０  開口                          ６１  支点
３１  支持部                        ６２  当接部
４１  竿                            ７１  ボルト体
５１  固定部                        ７２  ケーブル
【図１】
0005670263.tif 000002
【図２】
0005670263.tif 000003
【図３】
0005670263.tif 000004
【図４】
0005670263.tif 000005
【図５】
0005670263.tif 000006
【図６】
0005670263.tif 000007
【図７】
0005670263.tif 000008
【図８】
0005670263.tif 000009
【図９】
0005670263.tif 000010
【図１０】
0005670263.tif 000011
【図１１】
0005670263.tif 000012